(57)【特許請求の範囲】
【請求項１】
移動局と第１無線基地局との間で第１ベアラが設定されている状態で、該第１無線基地局が、該移動局に対して、第２無線基地局との間での第２ベアラの追加及び該第１ベアラの設定変更を指示する情報要素を送信する工程Ａと、
前記移動局が、前記情報要素に応じて、前記第１ベアラ及び前記第２ベアラを経由して下りリンク信号を受信し、該第１ベアラ又は該第２ベアラのいずれかを経由して上りリンク信号を送信するように、該第１ベアラの設定を変更すると共に該第２ベアラを追加する工程Ｂとを有し、
前記工程Ｂにおいて、前記移動局は、前記情報要素として既存の情報要素「ＤＲＢ-ＴｏＡｄｄＭｏｄ」を受信し、該情報要素「ＤＲＢ-ＴｏＡｄｄＭｏｄ」内に「ＰＤＣＰ-ｃｏｎｆｉｇ」が設定されている場合、前記第２ベアラを経由して上りリンク信号を送信するように、該第１ベアラの設定を変更すると共に前記第２ベアラを追加することを特徴とする移動通信方法。
【請求項２】
前記工程Ａにおいて、前記第１無線基地局が、前記移動局に対して、「ＲＲＣ  Ｃｏｎｎｅｃｔｉｏｎ  Ｒｅｃｏｎｆｉｇｕｒａｔｉｏｎ」によって、前記情報要素を送信することを特徴とする請求項１に記載の移動通信方法。
【請求項３】
移動局が、第１無線基地局及び第２無線基地局を用いてキャリアアグリゲーションを行うことができるように構成されている移動通信システムであって、
前記キャリアアグリゲーションが行われている場合には、下りリンク用のベアラに対するＰＤＣＰレイヤ機能は、前記第１無線基地局にのみ設定されており、上りリンク用のベアラに対するＰＤＣＰレイヤ機能は、前記第２無線基地局にのみ設定されており、
該第１無線基地局は、前記移動局と前記第１無線基地局との間で下りリンク用のベアラが設定されている状態で、該移動局に対して、前記第２無線基地局との間での上りリンク用のベアラの追加及び該下りリンク用のベアラの設定変更を指示する情報要素を送信し、
前記移動局は、前記情報要素として既存の情報要素「ＤＲＢ-ＴｏＡｄｄＭｏｄ」を受信し、該情報要素「ＤＲＢ-ＴｏＡｄｄＭｏｄ」内に「ＰＤＣＰ-ｃｏｎｆｉｇ」が設定されている場合、前記上りリンク用のベアラを経由して上りリンク信号を送信するように、前記下りリンク用のベアラの設定を変更すると共に前記上りリンク用のベアラを追加することを特徴とする移動通信システム。
【請求項４】
前記ＰＤＣＰレイヤ機能は、セキュリティ処理を行うように構成されていることを特徴とする請求項３に記載の移動通信システム。
【請求項５】
前記ＰＤＣＰレイヤ機能は、ＲｏＨＣ処理を行うように構成されていることを特徴とする請求項３又は４に記載の移動通信システム。
【請求項６】
前記移動局は、前記上りリンク用のベアラに係る設定内容を、前記第２無線基地局に関連付けることを特徴とする請求項３に記載の移動通信システム。
【発明の詳細な説明】
【技術分野】
【０００１】
本発明は、移動通信方法に関する。
【背景技術】
【０００２】
現在、３ＧＰＰでは、ＳＣＥ（Ｓｍａｌｌ  Ｃｅｌｌ  Ｅｎｈａｎｃｅｍｅｎｔ）のＷＩ（Ｗｏｒｋｉｎｇ  Ｉｔｅｍ）で、「Ｉｎｔｅｒ-ｅＮＢ  ＣＡ（Ｃａｒｒｉｅｒ  Ａｇｇｒｅｇａｔｉｏｎ）」を実現するためのアーキテクチャについて議論されている。
【０００３】
今後、図９（ａ）に示す「Ｏｐｔｉｏｎ  １」及び図９（ｂ）に示す「Ｏｐｔｉｏｎ  ２」の２つのアーキテクチャについて詳細検討が行われる予定である。
【０００４】
図９（ａ）に示すように、「Ｏｐｔｉｏｎ  １」のアーキテクチャでは、サービングゲートウェイ装置Ｓ-ＧＷが、移動局ＵＥ宛ての下りリンク信号を、無線基地局ＭｅＮＢ（Ｍａｓｔｅｒ  ｅＮＢ）又は無線基地局ＳｅＮＢ（Ｓｅｃｏｎｄａｒｙ  ｅＮＢ）のどちらかにルーティングするように構成されている。
【０００５】
「Ｏｐｔｉｏｎ  １」のアーキテクチャでは、無線基地局ＭｅＮＢ及び無線基地局ＳｅＮＢの各々が、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能を具備しており、同じＥＰＳベアラを２つの無線基地局ｅＮＢを経由して設定する「Ｂｅａｒｅｒ  ｓｐｌｉｔ」を実施することができない。
【０００６】
また、  図９（ｂ）に示すように、「Ｏｐｔｉｏｎ  ２」のアーキテクチャでは、無線基地局ＭｅＮＢが、移動局ＵＥ宛ての下りリンク信号を無線基地局ＳｅＮＢにルーティングするように構成されている。
【０００７】
「Ｏｐｔｉｏｎ  ２」のアーキテクチャでは、無線基地局ＭｅＮＢのみが、ＰＤＣＰレイヤ機能を具備しており、「Ｂｅａｒｅｒ  ｓｐｌｉｔ」を実施することが可能である。
【先行技術文献】
【非特許文献】
【０００８】
【非特許文献１】３ＧＰＰ  ＴＲ３６.８４２、「Ｓｔｕｄｙ  ｏｎ  Ｓｍａｌｌ  Ｃｅｌｌ  Ｅｎｈａｎｃｅｍｅｎｔｓ  ｆｏｒ  Ｅ-ＵＴＲＡ  ａｎｄ  Ｅ-ＵＴＲＡＮ  −  Ｈｉｇｈｅｒ  ｌａｙｅｒ  ａｓｐｅｃｔｓ」
【発明の概要】
【発明が解決しようとする課題】
【０００９】
ここで、ＳＣＥは、移動局ＵＥのＭｏｂｉｌｉｔｙの品質を保ちつつ、移動局ＵＥのスループットを向上させることを目的にしている。
【００１０】
なお、スループットの向上の観点からは、特に、下りリンクにおけるスループットの向上が最も注目されている。
【００１１】
「Ｏｐｔｉｏｎ  ２」のアーキテクチャを用いて「Ｉｎｔｅｒ-ｅＮＢ  ＣＡ」を実現する場合、下りリンク及び上りリンクの両方において「Ｉｎｔｅｒ-ｅＮＢ  ＣＡ」を実施することができる、すなわち、「２ＤＬ、２ＵＬ」の「Ｉｎｔｅｒ-ｅＮＢ  ＣＡ」を実施することができる。
【００１２】
ただし、上りリンクの両方において「Ｉｎｔｅｒ-ｅＮＢ  ＣＡ」を実現するためには、すなわち、「２ＵＬ」の「Ｉｎｔｅｒ-ｅＮＢ  ＣＡ」を実現するためには、移動局ＵＥに与えるインパクトが大きいという問題点があった。
【００１３】
そこで、移動局ＵＥの複雑さを軽減するために、「Ｂｅａｒｅｒ  ｓｐｌｉｔ」によって下りリンクにおいて「Ｉｎｔｅｒ-ｅＮＢ  ＣＡ」を実現すると共に、無線基地局ＭｅＮＢ又は無線基地局ＳｅＮＢのどちらか一方を用いて上りリンク信号の送信を行う「２ＤＬ、１ＵＬ」の「Ｉｎｔｅｒ-ｅＮＢ  ＣＡ」を実現することについて考える。
【００１４】
しかしながら、既存のＬＴＥ（Ｌｏｎｇ  Ｔｅｒｍ  Ｅｖｏｌｕｔｉｏｎ）方式において、図１０に示すように、ベアラを追加したりベアラの設定内容を変更したりするために用いられている情報要素「ＤＲＢ-ＴｏＡｄｄＭｏｄ」は、下りリンク及び上りリンクを意識することなくベアラの追加やベアラの設定内容の変更を指示するように構成されている。
【００１５】
したがって、かかる情報要素「ＤＲＢ-ＴｏＡｄｄＭｏｄ」では、上述の「２ＤＬ、１ＵＬ」の「Ｉｎｔｅｒ-ｅＮＢ  ＣＡ」を実現することができないという問題点があった。
【００１６】
そこで、本発明は、上述の課題に鑑みてなされたものであり、「２ＤＬ、１ＵＬ」の「Ｉｎｔｅｒ-ｅＮＢ  ＣＡ」を実現することを可能とする移動通信方法を提供することを目的とする。
【課題を解決するための手段】
【００１７】
本発明の第１の特徴は、移動通信方法であって、移動局と第１無線基地局との間で第１ベアラが設定されている状態で、該第１無線基地局が、該移動局に対して、第２無線基地局との間での第２ベアラの追加及び該第１ベアラの設定変更を指示する情報要素を送信する工程と、前記移動局が、前記情報要素に応じて、前記第１ベアラ及び前記第２ベアラを経由して下りリンク信号を受信し、該第１ベアラ又は該第２ベアラのいずれかを経由して上りリンク信号を送信するように、該第１ベアラの設定を変更すると共に該第２ベアラを追加する工程とを有することを要旨とする。
【発明の効果】
【００１８】
【図１】本発明の第１の実施形態に係る移動通信システムの全体構成図である。
【図２】本発明の第１の実施形態に係る移動通信システムにおける下りリンクベアラについて説明するためのシーケンス図である。
【図３】本発明の第１の実施形態に係る移動通信システムにおける上りリンクベアラについて説明するためのシーケンス図である。
【図４】本発明の第１の実施形態に係る移動通信システムにおける上りリンクベアラについて説明するためのシーケンス図である。
【図５】本発明の第１の実施形態に係る移動通信システムの動作を説明するためのシーケンス図である。
【図６】本発明の第１の実施形態に係る移動通信システムで用いられる情報要素「ＤＲＢ-ＴｏＡｄｄＭｏｄ_ＳｅＮＢ」のフォーマットの一例を示す図である。
【図７】本発明の第１の実施形態に係る移動通信システムで用いられる情報要素「ＤＲＢ-ＴｏＡｄｄＭｏｄ」のフォーマットの一例を示す図である。
【図８】本発明の第１の実施形態に係る移動通信システムで用いられる情報要素「ＤＲＢ-ＴｏＡｄｄＭｏｄ」のフォーマットの一例を示す図である。
【図９】従来の「Ｉｎｔｅｒ-ｅＮＢ  ＣＡ（Ｃａｒｒｉｅｒ  Ａｇｇｒｅｇａｔｉｏｎ）」を実現するためのアーキテクチャを説明するための図である。
【図１０】従来の情報要素「ＤＲＢ-ＴｏＡｄｄＭｏｄ」のフォーマットの一例を説明するための図である。
【図面の簡単な説明】
【００１９】
【図１】本発明の第１の実施形態に係る移動通信システムの全体構成図である。
【図２】本発明の第１の実施形態に係る移動通信システムにおける下りリンクベアラについて説明するためのシーケンス図である。
【図３】本発明の第１の実施形態に係る移動通信システムにおける上りリンクベアラについて説明するためのシーケンス図である。
【図４】本発明の第１の実施形態に係る移動通信システムにおける上りリンクベアラについて説明するためのシーケンス図である。
【図５】本発明の第１の実施形態に係る移動通信システムの動作を説明するためのシーケンス図である。
【図６】本発明の第１の実施形態に係る移動通信システムで用いられる情報要素「ＤＲＢ-ＴｏＡｄｄＭｏｄ_ＳｅＮＢ」のフォーマットの一例を示す図である。
【図７】本発明の第１の実施形態に係る移動通信システムで用いられる情報要素「ＤＲＢ-ＴｏＡｄｄＭｏｄ」のフォーマットの一例を示す図である。
【図８】本発明の第１の実施形態に係る移動通信システムで用いられる情報要素「ＤＲＢ-ＴｏＡｄｄＭｏｄ」のフォーマットの一例を示す図である。
【図９】従来技術を説明するための図である。
【図１０】従来技術を説明するための図である。
【発明を実施するための形態】
【００２０】
（本発明の第１の実施形態に係る移動通信システム）
図１乃至図８を参照して、本発明の第１の実施形態に係る移動通信システムについて説明する。
【００２１】
本実施形態に係る移動通信システムは、ＬＴＥ方式（或いは、ＬＴＥ-Ａｄｖａｎｃｅｄ方式）の移動通信システムであって、図１に示すように、サービングゲートウェイ装置Ｓ-ＧＷと、無線基地局ＭｅＮＢと、無線基地局ＳｅＮＢとを具備している。
【００２２】
本実施形態に係る移動通信システムでは、図１に示すように、無線基地局ＭｅＮＢと移動局ＵＥとの間でベアラ＃１が設定されており、無線基地局ＳｅＮＢと移動局ＵＥとの間でベアラ＃２が設定されている。
【００２３】
ここで、本実施形態に係る移動通信システムでは、上述の「２ＤＬ、１ＵＬ」の「Ｉｎｔｅｒ-ｅＮＢ  ＣＡ」が実現されている。
【００２４】
すなわち、本実施形態に係る移動通信システムでは、「Ｂｅａｒｅｒ  ｓｐｌｉｔ」によって下りリンクにおいて「Ｉｎｔｅｒ-ｅＮＢ  ＣＡ」を実現すると共に、無線基地局ＭｅＮＢ又は無線基地局ＳｅＮＢのどちらか一方を用いて上りリンク信号の送信を行う「２ＤＬ、１ＵＬ」の「Ｉｎｔｅｒ-ｅＮＢ  ＣＡ」が実現されている。
【００２５】
具体的には、下りリンクでは、上述の「Ｏｐｔｉｏｎ  ２」のアーキテクチャを採用し、無線基地局ＭｅＮＢが、ベアラ＃１を介して移動局ＵＥに対して移動局ＵＥ宛ての下りリンク信号を送信すると共に、無線基地局ＳｅＮＢに対して移動局ＵＥ宛ての下りリンク信号をルーティングするように構成されている。
【００２６】
一方、上りリンクでは、上述の「Ｏｐｔｉｏｎ  １」のアーキテクチャを採用し、移動局ＵＥが、ベアラ＃１又はベアラ＃２のいずれかを経由して上りリンク信号を送信するように構成されている。
【００２７】
なお、本実施形態に係る移動通信システムにおいて、移動局ＵＥが、ベアラ＃１又はベアラ＃２のどちらを経由して上りリンク信号を送信するべきかについては、「ＲＲＣ  Ｃｏｎｎｅｃｔｉｏｎ  Ｒｅｃｏｎｆｉｇｕｒａｔｉｏｎ」によって設定されるように構成されており、サブフレーム単位等で動的に変更されないように構成されていてもよい。
【００２８】
図２に、「２ＤＬ、１ＵＬ」の「Ｉｎｔｅｒ-ｅＮＢ  ＣＡ」が行われている際の下りリンク用の構成について示す。
【００２９】
図２に示すように、無線基地局ＭｅＮＢは、下りリンク用の構成として、ＰＤＣＰレイヤ機能と、ＲＬＣ（Ｒａｄｉｏ  Ｌｉｎｋ  Ｃｏｎｔｒｏｌ）レイヤ機能と、ＭＡＣ（Ｍｅｄｉａ  Ａｃｃｅｓｓ  Ｃｏｎｔｒｏｌ）レイヤ機能とを具備している。
【００３０】
一方、図２に示すように、無線基地局ＳｅＮＢは、下りリンク用の構成として、ＲＬＣレイヤ機能と、ＭＡＣレイヤ機能とを具備しているが、ＰＤＣＰレイヤ機能については具備していない。
【００３１】
ここで、無線基地局ＭｅＮＢのＰＤＣＰレイヤ機能は、移動局ＵＥの「Ｓｅｃｕｒｉｔｙ  ｃｏｎｔｅｘｔ」を設定しており、下りリンク用のベアラにおけるセキュリティ処理を行うように構成されている。
【００３２】
移動局ＵＥのＰＤＣＰレイヤ機能は、下りリンク用のベアラにおけるセキュリティ処理を行うために、かかる無線基地局ＭｅＮＢのＰＤＣＰレイヤ機能によって設定されている「Ｓｅｃｕｒｉｔｙ  ｃｏｎｔｅｘｔ」を設定するように構成されている。
【００３３】
また、無線基地局ＭｅＮＢのＰＤＣＰレイヤ機能は、下りリンク用のベアラにおけるＲｏＨＣ（Ｒｏｂｕｓｔ  Ｈｅａｄｅｒ  Ｃｏｍｐｒｅｓｓｉｏｎ）処理を行うように構成されている。
【００３４】
なお、図２に示すように、無線基地局ＭｅＮＢから送信される下りリンク信号には「ＭＡＣ-ＩＤ」が設定されておらず（或いは、「ＭＡＣ-ＩＤ＝０」が設定されており）、無線基地局ＳｅＮＢから送信される下りリンク信号には「ＭＡＣ-ＩＤ＝１」が設定されているように構成されていてもよい。
【００３５】
図３に、「２ＤＬ、１ＵＬ」の「Ｉｎｔｅｒ-ｅＮＢ  ＣＡ」が行われている際の上りリンク用の構成について示す。なお、図３の例では、移動局ＵＥが、ベアラ＃２を経由して上りリンク信号を送信するケースの上りリンク用の構成について示す。
【００３６】
図３に示すように、無線基地局ＳｅＮＢは、上りリンク用の構成として、ＰＤＣＰレイヤ機能と、ＲＬＣレイヤ機能と、ＭＡＣレイヤ機能とを具備している。
【００３７】
一方、図３に示すように、無線基地局ＭｅＮＢは、上りリンク用の構成を具備していない。
【００３８】
ここで、無線基地局ＳｅＮＢのＰＤＣＰレイヤ機能は、移動局ＵＥの「Ｓｅｃｕｒｉｔｙ  ｃｏｎｔｅｘｔ」を設定しており、上りリンク用のベアラにおけるセキュリティ処理を行うように構成されている。
【００３９】
移動局ＵＥのＰＤＣＰレイヤ機能は、上りリンク用のベアラにおけるセキュリティ処理を行うために、かかる無線基地局ＳｅＮＢのＰＤＣＰレイヤ機能によって設定されている「Ｓｅｃｕｒｉｔｙ  ｃｏｎｔｅｘｔ」を設定するように構成されている。
【００４０】
また、無線基地局ＳｅＮＢのＰＤＣＰレイヤ機能は、上りリンク用のベアラにおけるＲｏＨＣ処理を行うように構成されている。
【００４１】
なお、図３に示すように、移動局ＵＥは、「ＲＲＣ  Ｃｏｎｎｅｃｔｉｏｎ  Ｒｅｃｏｎｆｉｇｕｒａｔｉｏｎ」による設定に従って、無線基地局ＳｅＮＢに対して送信する上りリンク信号に「ＭＡＣ-ＩＤ＝１」を設定するように構成されていてもよい。
【００４２】
図４に、「２ＤＬ、１ＵＬ」の「Ｉｎｔｅｒ-ｅＮＢ  ＣＡ」が行われている際の上りリンク用の構成について示す。なお、図４の例では、移動局ＵＥが、ベアラ＃１を経由して上りリンク信号を送信するケースの上りリンク用の構成について示す。
【００４３】
図４に示すように、無線基地局ＭｅＮＢは、上りリンク用の構成として、ＰＤＣＰレイヤ機能と、ＲＬＣレイヤ機能と、ＭＡＣレイヤ機能とを具備している。
【００４４】
一方、図４に示すように、無線基地局ＳｅＮＢは、上りリンク用の構成を具備していない。
【００４５】
ここで、無線基地局ＭｅＮＢのＰＤＣＰレイヤ機能は、移動局ＵＥの「Ｓｅｃｕｒｉｔｙ  ｃｏｎｔｅｘｔ」を設定しており、上りリンク用のベアラにおけるセキュリティ処理を行うように構成されている。
【００４６】
移動局ＵＥのＰＤＣＰレイヤ機能は、上りリンク用のベアラにおけるセキュリティ処理を行うために、かかる無線基地局ＭｅＮＢのＰＤＣＰレイヤ機能によって設定されている「Ｓｅｃｕｒｉｔｙ  ｃｏｎｔｅｘｔ」を設定するように構成されている。
【００４７】
また、無線基地局ＭｅＮＢのＰＤＣＰレイヤ機能は、上りリンク用のベアラにおけるＲｏＨＣ処理を行うように構成されている。
【００４８】
なお、図４に示すように、移動局ＵＥは、「ＲＲＣ  Ｃｏｎｎｅｃｔｉｏｎ  Ｒｅｃｏｎｆｉｇｕｒａｔｉｏｎ」による設定に従って、無線基地局ＭｅＮＢに対して送信する上りリンク信号に「ＭＡＣ-ＩＤ＝０」を設定するように構成されていてもよい。
【００４９】
以下、図５を参照して、本実施形態に係る移動通信システムの具体的な動作の一例について説明する。
【００５０】
図５に示すように、ステップＳ１００１において、移動局ＵＥと無線基地局ＭｅＮＢとの間でベアラ＃１が設定されている状態で、無線基地局ＭｅＮＢが、ステップＳ１００２において、無線基地局ＳｅＮＢと共に、上述の「２ＤＬ、１ＵＬ」の「Ｉｎｔｅｒ-ｅＮＢ  ＣＡ」を行うことを決定すると、ステップＳ１００３において、移動局ＵＥに対して、情報要素「ＤＲＢ-ＴｏＡｄｄＭｏｄ_ＳｅＮＢ」又は「ＤＲＢ-ＴｏＡｄｄＭｏｄ」を含む「ＲＲＣ  Ｃｏｎｎｅｃｔｉｏｎ  Ｒｅｃｏｎｆｉｇｕｒａｔｉｏｎ」を送信する。
【００５１】
ここで、図６乃至図８に、かかる情報要素「ＤＲＢ-ＴｏＡｄｄＭｏｄ_ＳｅＮＢ」又は「ＤＲＢ-ＴｏＡｄｄＭｏｄ」のフォーマットの一例を示す。
【００５２】
移動局ＵＥが、かかる情報要素「ＤＲＢ-ＴｏＡｄｄＭｏｄ_ＳｅＮＢ」又は「ＤＲＢ-ＴｏＡｄｄＭｏｄ」に応じて、ベアラ＃１及びベアラ＃２を経由して下りリンク信号を受信し、ベアラ＃１又はベアラ＃２のいずれかを経由して上りリンク信号を送信するように、ステップＳ１００４において、ベアラ＃１の設定を変更すると共に、ステップＳ１００５において、ベアラ＃２を追加する。
【００５３】
移動局ＵＥは、図６に示す情報要素「ＤＲＢ-ＴｏＡｄｄＭｏｄ_ＳｅＮＢ」を受信した場合、下りリンク用のベアラとなるようにベアラ＃１の設定内容を変更し、下りリンク及び上りリンク用のベアラとしてベアラ＃２を追加してもよい。
【００５４】
或いは、移動局ＵＥは、図６に示す情報要素「ＤＲＢ-ＴｏＡｄｄＭｏｄ_ＳｅＮＢ」を受信した場合、ベアラ＃１の設定内容をそのままとして、下りリンク用のベアラとしてベアラ＃２を追加してもよい。
【００５５】
例えば、移動局ＵＥは、情報要素「ＤＲＢ-ＴｏＡｄｄＭｏｄ_ＳｅＮＢ」内に「ＰＤＣＰ-ｃｏｎｆｉｇ」が設定されている場合、ベアラ＃２を経由して上りリンク信号を送信するように、ベアラ＃１の設定を変更すると共にベアラ＃２を追加してもよい。
【００５６】
具体的には、かかる場合、移動局ＵＥは、上りリンク用のベアラに係る設定内容である「ＰＤＣＰ-ｃｏｎｆｉｇ」を無線基地局ＳｅＮＢ（ＳｅＮＢ-ＩＤ）に関連付けてもよい。
【００５７】
また、移動局ＵＥは、図７に示す情報要素「ＤＲＢ-ＴｏＡｄｄＭｏｄ」を受信した場合、下りリンク用のベアラとなるようにベアラ＃１の設定内容を変更し、下りリンク及び上りリンク用のベアラとしてベアラ＃２を追加してもよい。
【００５８】
例えば、移動局ＵＥは、情報要素「ＤＲＢ-ＴｏＡｄｄＭｏｄ」内に「ＰＤＣＰ-ｃｏｎｆｉｇ」が設定されている場合（及び、ＭＡＣ-ＩＤ＝１が設定されている場合）、ベアラ＃２を経由して上りリンク信号を送信するように、ベアラ＃１の設定を変更すると共にベアラ＃２を追加してもよい。
【００５９】
具体的には、かかる場合、移動局ＵＥは、上りリンク用のベアラに係る設定内容である「ＰＤＣＰ-ｃｏｎｆｉｇ」を無線基地局ＳｅＮＢ（ＳｅＮＢ-ＩＤ）に関連付けてもよい。
【００６０】
さらに、移動局ＵＥは、図８に示す情報要素「ＤＲＢ-ＴｏＡｄｄＭｏｄ」を受信した場合、ベアラ＃１の設定内容をそのままとして、下りリンク用のベアラとしてベアラ＃２を追加してもよい。
【００６１】
例えば、移動局ＵＥは、情報要素「ＤＲＢ-ＴｏＡｄｄＭｏｄ」内に「ＰＤＣＰ-ｃｏｎｆｉｇ」が設定されている場合（及び、ＭＡＣ-ＩＤが設定されていない場合）、ベアラ＃１を経由して上りリンク信号を送信するように、ベアラ＃１の設定を変更すると共にベアラ＃２を追加してもよい。
【００６２】
具体的には、かかる場合、移動局ＵＥは、上りリンク用のベアラに係る設定内容である「ＰＤＣＰ-ｃｏｎｆｉｇ」を無線基地局ＭｅＮＢ（ＭｅＮＢ-ＩＤ）に関連付けてもよい。
【００６３】
以上に述べた本実施形態の特徴は、以下のように表現されていてもよい。
【００６４】
本実施形態の第１の特徴は、移動通信方法であって、移動局ＵＥと無線基地局ＭｅＮＢ（第１無線基地局）との間でベアラ＃１（第１ベアラ）が設定されている状態で、無線基地局ＭｅＮＢが、移動局ＵＥに対して、無線基地局ＳｅＮＢ（第２無線基地局）との間でのベアラ＃２（第２ベアラ）の追加及びベアラ＃１の設定変更を指示する情報要素「ＤＲＢ-ＴｏＡｄｄＭｏｄ_ＳｅＮＢ」又は「ＤＲＢ-ＴｏＡｄｄＭｏｄ」を送信する工程と、移動局ＵＥが、かかる情報要素「ＤＲＢ-ＴｏＡｄｄＭｏｄ_ＳｅＮＢ」又は「ＤＲＢ-ＴｏＡｄｄＭｏｄ」に応じて、ベアラ＃１及びベアラ＃２を経由して下りリンク信号を受信し、ベアラ＃１又はベアラ＃２のいずれかを経由して上りリンク信号を送信するように、ベアラ＃１の設定を変更すると共にベアラ＃２を追加する工程とを有することを要旨とする。
【００６５】
かかる特徴によれば、移動局ＵＥの複雑さを最小限としつつ、「２ＤＬ、１ＵＬ」の「Ｉｎｔｅｒ-ｅＮＢ  ＣＡ」を実現することができる。
【００６６】
本実施形態の第１の特徴において、工程Ａにおいて、無線基地局ＭｅＮＢが、移動局ＵＥに対して、「ＲＲＣ  Ｃｏｎｎｅｃｔｉｏｎ  Ｒｅｃｏｎｆｉｇｕｒａｔｉｏｎ」によって、情報要素「ＤＲＢ-ＴｏＡｄｄＭｏｄ_ＳｅＮＢ」又は「ＤＲＢ-ＴｏＡｄｄＭｏｄ」を送信してもよい。
【００６７】
本実施形態の第１の特徴において、工程Ｂにおいて、移動局ＵＥは、情報要素「ＤＲＢ-ＴｏＡｄｄＭｏｄ」内に「ＰＤＣＰ-ｃｏｎｆｉｇ」が設定されている場合、ベアラ＃１を経由して上りリンク信号を送信するように、ベアラ＃１の設定を変更すると共にベアラ＃２を追加してもよい。
【００６８】
本実施形態の第１の特徴において、工程Ｂにおいて、移動局ＵＥは、情報要素「ＤＲＢ-ＴｏＡｄｄＭｏｄ_ＳｅＮＢ」内に「ＰＤＣＰ-ｃｏｎｆｉｇ」が設定されている場合、ベアラ＃２を経由して上りリンク信号を送信するように、ベアラ＃１の設定を変更すると共にベアラ＃２を追加してもよい。
【００６９】
本実施形態の第２の特徴は、移動局ＵＥが、無線基地局ＭｅＮＢ及び無線基地局ＳｅＮＢを用いて「Ｉｎｔｅｒ-ｅＮＢ  ＣＡ（キャリアアグリゲーション）」を行うことができるように構成されている移動通信システムであって、かかる「Ｉｎｔｅｒ-ｅＮＢ  ＣＡ」が行われている場合には、下りリンク用のベアラに対するＰＤＣＰレイヤ機能は、無線基地局ＭｅＮＢにのみ設定されており、上りリンク用のベアラに対するＰＤＣＰレイヤ機能は、無線基地局ＭｅＮＢ又は無線基地局ＳｅＮＢのどちらか一方に設定されていることを要旨とする。
【００７０】
本実施形態の第２の特徴において、上述のＰＤＣＰレイヤ機能は、セキュリティ処理を行うように構成されていてもよい。
【００７１】
本実施形態の第２の特徴において、上述のＰＤＣＰレイヤ機能は、ＲｏＨＣ処理を行うように構成されていてもよい。
【００７２】
本実施形態の第２の特徴において、移動局ＵＥは、上りリンク用の「ＰＤＣＰ  ｃｏｎｆｉｇ（ベアラに係る設定内容）」を、無線基地局ＭｅＮＢ又は無線基地局ＳｅＮＢのどちらか一方に関連付けるように構成されていてもよい。
【００７３】
なお、上述の移動局ＵＥ及び無線基地局ＭｅＮＢ/ＳｅＮＢやサービングゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ＭｅＮＢ/ＳｅＮＢやサービングゲートウェイ装置Ｓ-ＧＷ内に設けられていてもよい。また、かかる記憶媒体及びプロセッサは、ディスクリートコンポーネントとして移動局ＵＥ及び無線基地局ＭｅＮＢ/ＳｅＮＢやサービングゲートウェイ装置Ｓ-ＧＷ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
ＵＥ…移動局
ＭｅＮＢ、ＳｅＮＢ…無線基地局
Ｓ-ＧＷ…サービングゲートウェイ装置
【図１】
0006035227.tif 000002
【図２】
0006035227.tif 000003
【図３】
0006035227.tif 000004
【図４】
0006035227.tif 000005
【図５】
0006035227.tif 000006
【図６】
0006035227.tif 000007
【図７】
0006035227.tif 000008
【図８】
0006035227.tif 000009
【図９】
0006035227.tif 000010
【図１０】
0006035227.tif 000011